(57)【要約】      （修正有）【課題】照明器具の個別で、人の居るおよび人の居ないに応じて照明の出力を制御することにより、無駄な電力を抑えることができる照明制御装置を提供する。【解決手段】照明制御装置１０は、制御手段１４に外部からの調光信号を入力する外部調光信号入力部１７を設け、制御手段１４は、外部調光信号入力部１７が外部調光信号の有無を検出し、外部調光信号の無い場合に、人検知情報に基づいて、人検知時に設定された、ある高出力点灯を維持し、人非検知状態になってから一定時間経過後は、設定されたある低出力点灯状態、または消灯状態に移行し、外部調光信号の有る場合に、人検知時は、入力されている調光信号に基づいて調光点灯手段を制御し、人非検知時に、外部調光信号入力部は無視され、人非検知状態になり一定時間経過後に設定された、ある低出力点灯状態、または消灯状態に移行する。【選択図】図１
2010097897.tif 000002
【特許請求の範囲】
【請求項１】
ランプと、
前記ランプを調光点灯させる調光点灯手段と、
人検知センサと、
前記人検知センサからの人検知情報に基づいて前記調光点灯手段を制御する制御手段と、
を備えた照明器具を制御する照明制御装置において、
前記制御手段に外部からの調光信号を入力する外部調光信号入力部を設け、
前記制御手段は、前記外部調光信号入力部が外部調光信号の有無を検出し、前記外部調光信号の無い場合に、前記人検知情報に基づいて、人検知時に設定された、ある高出力点灯を維持し、人非検知状態になってから一定時間経過後は、設定されたある低出力点灯状態、または消灯状態に移行し、前記外部調光信号の有る場合に、人検知時は、入力されている調光信号に基づいて前記調光点灯手段を制御し、人非検知時に、前記外部調光信号入力部は無視され、人非検知状態になり一定時間経過後に設定された、ある低出力点灯状態、または消灯状態に移行することを特徴とする照明制御装置。
【請求項２】
前記照明器具は、被照射面からの反射光を明るさセンサで検知し、前記制御手段は、設定された明るさの目標値に一定になるように、前記外部調光信号入力部に対して調光信号を与え、前記ランプの明るさを増減し、一定の明るさになるようにフィードバック制御を行い、前記制御手段は、人検知時に、調光信号が有効になり、人非検知時に、前記調光信号が無視されて人非検知状態になり、一定時間経過後に、設定された、ある低出力点灯状態に移行することを特徴とする請求項１記載の照明制御装置。
【請求項３】
前記制御手段は、前記ランプの初期照度補正カーブを有して、ランプ光束減退に応じて前記ランプの光束を一定に制御するように前記外部調光信号入力部に対して調光信号を与え、人検知時に、前記調光信号が有効になり、人非検知時に、調光信号が無視されて人非検知状態になり、一定時間経過後に、設定された、ある低出力点灯状態に移行することを特徴とする請求項１記載の照明制御装置。
【請求項４】
前記制御手段は、時刻タイマーに応じて所望の明るさの調光信号を前記外部調光信号入力部に対して与え、人検知時に、調光信号が有効になり、人非検知時に、前記調光信号は無視され、人非検知状態になり一定時間経過後に、設定された、ある低出力点灯状態に移行することを特徴とする請求項１記載の照明制御装置。
【発明の詳細な説明】
【技術分野】
【０００１】
本発明は、ランプと人検知センサとを備えて人検知情報に基づいてランプを調光点灯させる照明制御装置に関する。
【背景技術】
【０００２】
本発明者は、照明制御装置の一例として、あるレベルの外部信号が入力されると、明るさ検出手段および人体検出手段からの信号を無視して外部信号に対応するように光源の光出力を制御する照明制御装置を既に提案している（例えば、特許文献１参照）。
【０００３】
本発明者は、照明制御装置の他の一例として、外部からの調光信号入力の有無に応じて、出力する調光信号のデューティ比を変化させる照明制御装置を既に提案している（例えば、特許文献２参照）。
【特許文献１】特開平１０−３０２９６９号公報（図１、請求項１）
【特許文献２】特開２００２−１３４２８３号公報（図１、請求項１）
【発明の開示】
【発明が解決しようとする課題】
【０００４】
ところが、上記特許文献１および特許文献２は、いずれも、照明器具の直下や周囲に人がいないのにも拘わらずに、外部制御機器からの調光信号により照明器具の出力を強制的に制御していたために、無駄に電力を消費していた。
【０００５】
本発明は、前述した要望を満たすためになされたもので、その目的は、照明器具の個別で、人の居るおよび人の居ないに応じて照明の出力を制御することにより、無駄な電力を抑えることができる照明制御装置を提供することにある。
【課題を解決するための手段】
【０００６】
本発明に係る照明制御装置は、ランプと、前記ランプを調光点灯させる調光点灯手段と、人検知センサと、前記人検知センサからの人検知情報に基づいて前記調光点灯手段を制御する制御手段と、を備えた照明器具を制御する照明制御装置において、前記制御手段に外部からの調光信号を入力する外部調光信号入力部を設け、前記制御手段は、前記外部調光信号入力部が外部調光信号の有無を検出し、前記外部調光信号の無い場合に、前記人検知情報に基づいて、人検知時に設定された、ある高出力点灯を維持し、人非検知状態になってから一定時間経過後は、設定されたある低出力点灯状態、または消灯状態に移行し、前記外部調光信号の有る場合に、人検知時は、入力されている調光信号に基づいて前記調光点灯手段を制御し、人非検知時に、前記外部調光信号入力部は無視され、人非検知状態になり一定時間経過後に設定された、ある低出力点灯状態、または消灯状態に移行することを特徴とする。
【０００７】
本発明においては、制御手段は、外部調光信号の無い場合に、人検知情報に基づいて、人検知時に設定された、ある高出力点灯を維持し、人非検知状態になってから一定時間経過後は、設定されたある低出力点灯状態、または消灯状態に移行し、外部調光信号の有る場合に、人検知時は、入力されている調光信号に基づいて調光点灯手段を制御し、人非検知時に、外部調光信号入力部は無視され、人非検知状態になり一定時間経過後に設定された、ある低出力点灯状態、または消灯状態に移行する制御を行う。
よって、人検知センサと外部からの調光信号との連動を容易に行うことにより、省エネ効果をあげることができる。
【０００８】
本発明に係る照明制御装置は、前記照明器具は、被照射面からの反射光を明るさセンサで検知し、前記制御手段は、設定された明るさの目標値に一定になるように、前記外部調光信号入力部に対して調光信号を与え、前記ランプの明るさを増減し、一定の明るさになるようにフィードバック制御を行い、前記制御手段は、人検知時に、調光信号が有効になり、人非検知時に、前記調光信号が無視されて人非検知状態になり、一定時間経過後に、設定された、ある低出力点灯状態に移行することを特徴とする。
【０００９】
本発明においては、照明器具は、被照射面からの反射光を明るさセンサで検知し、制御手段は、設定された明るさの目標値に一定になるように、外部調光信号入力部に対して調光信号を与え、ランプの明るさを増減し、一定の明るさになるようにフィードバック制御を行い、制御手段は、人検知時に、調光信号が有効になり、人非検知時に、調光信号が無視されて人非検知状態になり、一定時間経過後に、設定された、ある低出力点灯状態に移行する。
よって、人の検知にかかわらずに、常に明るさセンサのみで制御される照明器具と、人の在・不在に応じて適切に制御される照明器具と、を総括制御できる。
したがって、簡易に人の在・不在と明るさセンサとの連動を行って、より安価に、省エネ率を稼ぐことができる。
【００１０】
本発明に係る照明制御装置は、前記制御手段は、前記ランプの初期照度補正カーブを有して、ランプ光束減退に応じて前記ランプの光束を一定に制御するように前記外部調光信号入力部に対して調光信号を与え、人検知時に、前記調光信号が有効になり、人非検知時に、調光信号が無視されて人非検知状態になり、一定時間経過後に、設定された、ある低出力点灯状態に移行することを特徴とする。
【００１１】
本発明においては、初期照度補正による省エネと、照明器具の個別での人検知センサによる制御が可能になる。
よって、人の在・不在に応じてきめ細かな制御が可能になることにより、より省エネ効果が得られる。
【００１２】
本発明に係る照明制御装置は、前記制御手段は、時刻タイマーに応じて所望の明るさの調光信号を前記外部調光信号入力部に対して与え、人検知時に、調光信号が有効になり、人非検知時に、前記調光信号は無視され、人非検知状態になり一定時間経過後に、設定された、ある低出力点灯状態に移行することを特徴とする。
【００１３】
本発明においては、昼休み等の照明の明るさの不要な時に消灯・調光をかける等の制御を行うことで、時間帯に応じた省エネと、照明器具の個別での人検知センサによる制御が可能になる。
よって、人の在・不在に応じてきめ細かな制御を行うことにより、省エネ効果が得られる。
【発明の効果】
【００１４】
本発明の照明制御装置によれば、制御手段に外部からの調光信号を入力する外部調光信号入力部を設け、制御手段は、外部調光信号入力部が外部調光信号の有無を検出し、外部調光信号の無い場合に、人検知情報に基づいて、人検知時に設定された、ある高出力点灯を維持し、人非検知状態になってから一定時間経過後は、設定されたある低出力点灯状態、または消灯状態に移行し、外部調光信号の有る場合に、人検知時は、入力されている調光信号に基づいて調光点灯手段を制御し、人非検知時に、外部調光信号入力部は無視され、人非検知状態になり一定時間経過後に設定された、ある低出力点灯状態、または消灯状態に移行する。
これにより、照明器具の個別で、人の居るおよびひとの居ないに応じて照明の出力を制御することにより、無駄な電力を抑えることができる照明制御装置を提供することができるという効果を有する。
【発明を実施するための最良の形態】
【００１５】
以下、本発明の複数の実施形態に係る照明制御装置について、図面を参照して説明する。
【００１６】
（第１実施形態）
図１に示すように、本発明の第１実施形態である照明制御装置１０は、ランプ１１と、ランプ１１を調光点灯させる調光安定器１２と、人検知センサ１３と、制御ブロック１４と、を備える照明器具１５を制御する。
【００１７】
調光安定器１２は、調光信号を与えられることにより、ランプ１１を点灯・調光制御する。
【００１８】
人検知センサ１３は、ランプ１１の近傍に配置されており、ランプ１１の直下の人の在・不在に応じて、人検知信号・人非検知信号を制御ブロック１４に与える。
【００１９】
制御ブロック１４は、制御部１６と、外部調光信号入力部１７と、外部調光信号出力部１８と、を内蔵している。
【００２０】
外部調光信号入力部１７には、外部から調光信号が入力される。調光信号は、デューティ比と調光率の関係が、例えば５％(デューティ比)→１００％(調光率)から７５％(デューティ比)→２５％(調光率)のデューティ信号である。
【００２１】
デューティ信号の有無は、調光信号のデューティ比が５％未満で調光信号無と判断され、調光信号のデューティ比が５％以上で調光信号有と判断する。
【００２２】
外部調光信号出力部１８は、外部からの調光信号入力と、人検知センサ１３の検知情報に基づいて調光安定器１２に調光信号(デューティ信号)を出力する。
【００２３】
次に、制御ブロック１４の制御動作について説明する。
【００２４】
図２にも示すように、ランプ１１の直下に人が存在し、外部からの調光信号入力が無いと、１００％の調光率に設定してランプ１１を調光点灯させる（Ｓ１００→Ｓ１０１→Ｓ１０２）。
【００２５】
ランプ１１の直下に人が存在し、外部からの調光信号入力が有ると、入力された外部の調光信号に準じた調光率に設定してランプ１１を調光点灯させる（Ｓ１００→Ｓ１０１→Ｓ１０３）。
【００２６】
ランプ１１の直下に人が存在しなくなると、２５％の調光率に設定してランプ１１を調光点灯させる（Ｓ１００→Ｓ１０４）。
【００２７】
図３にも示すように、ランプ１１の直下に人が存在し、時刻Ｔ１において、外部からの調光信号入力が７５％から０％に切換えられると、１００％の調光率に設定してランプ１１を調光点灯させる。
【００２８】
時刻Ｔ２において、ランプ１１の直下に居た人が居なくなると、２５％の調光率に設定してランプ１１を調光点灯させる。
【００２９】
時刻Ｔ３において、ランプ１１の直下に居なくなっていた人が存在するようになると、１００％の調光率に設定してランプ１１を調光点灯させる。
【００３０】
時刻Ｔ４において、ランプ１１の直下に人が存在し、外部からの調光信号入力が０％から５０％に切換えられると、外部の調光信号入力に準じた５０％の調光率に設定してランプ１１を調光点灯させる。
【００３１】
本実施形態では、制御ブロック１４は、外部調光信号の無い場合に、人検知情報に基づいて、人検知時に設定された、ある高出力点灯を維持し、人非検知状態になってから一定時間経過後は、設定されたある低出力点灯状態、または消灯状態に移行し、外部調光信号の有る場合に、人検知時は、入力されている調光信号に基づいて調光点灯手段を制御し、人非検知時に、外部調光信号入力部は無視され、人非検知状態になり一定時間経過後に設定された、ある低出力点灯状態、または消灯状態に移行する制御を行う。
よって、人検知センサ１３と外部からの調光信号との連動を容易に行うことにより、省エネ効果をあげることができる。
【００３２】
（第２実施形態）
次に、本発明の第２実施形態の照明制御装置について説明する。なお、以下の各実施形態において、上述した第１実施形態と重複する構成要素や機能的に同様な構成要素については、図中に同一符号あるいは相当符号を付することによって説明を簡略化あるいは省略する。
【００３３】
図４にも示すように、本発明の第２実施形態である照明制御装置３０は、明るさセンサコントローラ３１を装備している。
【００３４】
オフィス等の天井面に、例えば４個ずつ４列の１６個の照明器具１５Ａ，１５Ｂ，１５Ｃ，１５Ｄ，１５Ｅ，１５Ｆ，１５Ｇ，１５Ｈ，１５Ｉ，１５Ｊ，１５Ｋ，１５Ｌ，１５Ｍ，１５Ｐ，１５Ｑが電気的に接続されて組み付けられている。
【００３５】
明るさセンサコントローラ３１は、被照射面からの反射光を明るさセンサで検知し、設定された明るさの目標値に一定になるように、外部調光信号入力部１７に対して調光信号を与え、ランプ１１の明るさを増減し、設定された明るさになるようにフィードバック制御を行う。
【００３６】
また、外光等が入ると明るいと感じて、さらに照明の光出力を絞る。これにより、各照明器具１５Ａ〜Ｑでは、人を検知した時に明るさセンサコントローラ３１からの調光信号を取り込むことになり、設定された照度(明るさ)一定になるように制御される。
【００３７】
これにより、人を検知した照明器具１５Ｃ，１５Ｉ，１５Ｊ，１５Ｍ，１５Ｎのみが明るさセンサコントローラ３１からの調光信号を有効にすることができる。人を検知していない他の照明器具１５Ａ、１５Ｂ，１５Ｄ，１５Ｅ，１５Ｆ，１５Ｇ，１５Ｈ，１５Ｋ，１５Ｌ，１５Ｐ，１５Ｑは低輝度点灯を行う。
【００３８】
ここで、明るさセンサコントローラ３１の周囲の照明器具１５Ｇ，１５Ｈ，１５Ｋ，１５Ｌが人非検知状態であるために、固定の低輝度点灯になる。そのため、明るさセンサコントローラ３１からの調光信号が無視され、明るさの目標値に達しないために、照明を明るくしようと制御して１００％の光出力に達してしまうので、省エネに反する動作を行うことになる。
【００３９】
図５にも示すように、そこで、明るさセンサコントローラ３１の周囲の照明器具１５Ｇ，１５Ｈ，１５Ｋ，１５Ｌを、強制的に人を検知した状態で、外部調光信号を有効にすることで、適切な設定された照度に制御することができる。
【００４０】
図６にも示すように、人検知センサ１３にスイッチ３２を設けて、センサ有効/無効の切換えを行えるようにしている。
【００４１】
図７にも示すように、制御動作は、人検知センサ１３が有効になっているときに、ランプ１１の直下に人が存在し、外部からの調光信号入力が無いと、１００％の調光率に設定してランプ１１を調光点灯させる（Ｓ２００→Ｓ２０１→Ｓ２０２→Ｓ２０３）。
【００４２】
人検知センサ１３が有効になっているときに、ランプ１１の直下に人が存在しなくなると、２５％の調光率に設定してランプ１１を調光点灯させる（Ｓ２００→Ｓ２０１→Ｓ２０４）。
【００４３】
人検知センサ１３が無効になっているときに、外部からの調光信号入力が有ると、入力された外部の調光信号に準じた調光率に設定してランプ１１を調光点灯させる（Ｓ２００→Ｓ２０２→Ｓ２０５）。
【００４４】
人検知センサ１３が無効になっているときに、外部からの調光信号入力が無いと、１００％の調光率に設定してランプ１１を調光点灯させる（Ｓ２００→Ｓ２０２→Ｓ２０３）。
【００４５】
このように、明るさセンサコントローラ３１の周囲の照明器具１５Ｇ，１５Ｈ，１５Ｋ，１５Ｌをセンサ無効に設定することで、明るさセンサコントローラ３１の周囲の照明器具１５Ｇ，１５Ｈ，１５Ｋ，１５Ｌは人の検知にかかわらずに、常に明るさセンサコントローラ３１のみで制御されることになる。
【００４６】
他の照明器具１５Ａ，１５Ｂ，１５Ｃ，１５Ｄ，１５Ｅ，１５Ｆ，１５Ｉ，１５Ｊ，１５Ｍ，１５Ｐ，１５Ｑは、人の在・不在に応じて適切な制御が行われる。
【００４７】
ここで、図８に示すように、人検知センサ１３のみを装備した照明器具１５Ａ〜１５Ｑを図４と同様にして配置した場合、人の在・不在に応じてのみランプ１１の調光点灯を行うために、省エネ率を稼ぐことができない。
【００４８】
図９に示すように、人検知センサ１３および明るさセンサコントローラ３１を、照明器具１５Ａ〜１５Ｑとは別所に置いた場合、図８に示した場合よりも省エネ率は上がるものの、人検知センサ１３の好ましい配置が難しく、人の検知範囲に抜けを生ずる虞がある。いずれかひとつの人検知センサ１３が人を検知すると全ての照明器具１５Ａ〜１５Ｑが点灯してしまうので、人の居ない場所でも点灯させてしまい省エネ効果が薄れる。
【００４９】
図１０にも示すように、すべての照明器具１５Ａ〜１５Ｑに、人検知センサ１３および明るさセンサコントローラ３１を装備した場合、各照明器具１５Ａ〜１５Ｑに、人検知センサ１３と明るさセンサコントローラ３１とを設けることにより、大幅なコストアップになる。
【００５０】
本実施形態では、照明器具１５Ａ〜１５Ｑは、被照射面からの反射光を明るさセンサコントローラ３１で検知し、制御ブロック１４は、設定された明るさの目標値に一定になるように、外部調光信号入力部１７に対して調光信号を与え、ランプ１１の明るさを増減し、一定の明るさになるようにフィードバック制御を行い、制御ブロック１４は、人検知時に、調光信号が有効になり、人非検知時に、調光信号が無視されて人非検知状態になり、一定時間経過後に、設定された、ある低出力点灯状態に移行する。
よって、人の検知にかかわらずに、常に明るさセンサコントローラ３１のみで制御される照明器具１５Ｇ，１５Ｈ，１５Ｋ，１５Ｌと、人の在・不在に応じて適切に制御される照明器具１５Ａ，１５Ｂ，１５Ｃ，１５Ｄ，１５Ｅ，１５Ｆ，１５Ｉ，１５Ｊ，１５Ｍ，１５Ｐ，１５Ｑと、を総括制御できる。
したがって、簡易に人の在・不在と明るさセンサコントローラ３１との連動を行って、より安価に、省エネ率を稼ぐことができる。
【００５１】
（第３実施形態）
次に、本発明の第３実施形態の照明制御装置について説明する。
【００５２】
図１１に示すように、本発明の第３実施形態である照明制御装置４０は、制御ブロック１４に、ランプ１１の初期照度補正カーブのデータテーブルを格納した初期照度補正コントローラ４１を備えている。
【００５３】
照明制御装置４０は、ランプ光束減退に応じてランプ１１の光束を一定に制御するように外部調光信号入力部１７に対して調光信号を与え、人検知時に、調光信号が有効になり、人非検知時に、調光信号が無視されて人非検知状態になり、一定時間経過後に、設定された、ある低出力点灯状態に移行する制御を行う。
【００５４】
初期照度補正コントローラ４１は、経時時間によるランプ光束劣化度合いに応じた調光信号を一括で各照明器具１５Ａ〜１５Ｑへ出力する。
【００５５】
各照明器具１５Ａ〜１５Ｑでは、調光信号がそれぞれの外部調光信号入力部１７に入り、人の在・不在に応じて制御が行われる。
【００５６】
本実施形態では、初期照度補正による省エネと、照明器具１５Ａ〜１５Ｑの個別での人検知センサ１３による制御が可能になる。
よって、人の在・不在に応じてきめ細かな制御が可能になることにより、より省エネ効果が得られる。
【００５７】
（第４実施形態）
次に、本発明の第４実施形態の照明制御装置について説明する。
【００５８】
図１２に示すように、本発明の第４実施形態である照明制御装置５０は、制御ブロック１４が、時刻タイマコントローラ５１を装備している。
【００５９】
照明制御装置５０は、時刻タイマコントローラ５１に応じて所望の明るさの調光信号を外部調光信号入力部１７に対して与え、人検知時に、調光信号が有効になり、人非検知時に、調光信号は無視され、人非検知状態になり一定時間経過後に、設定された、ある低出力点灯状態に移行する制御を行う。
【００６０】
本実施形態では、昼休み等の照明の明るさの不要な時に消灯・調光をかける等の制御を行うことで、時間帯に応じた省エネと、照明器具１５Ａ〜１５Ｑの個別での人検知センサ１９による制御が可能になる。
よって、人の在・不在に応じてきめ細かな制御を行うことにより、省エネ効果が得られる。
【００６１】
なお、前記実施形態で使用したランプ１１、調光安定器１２等は例示した形状に限定するものではなく適宜変更が可能である。
【図面の簡単な説明】
【００６２】
【図１】本発明に係る第１実施形態の照明制御装置のブロック構成図
【図２】図１に示した照明制御装置の制御動作を説明するフローチャート
【図３】図１に示した照明制御装置の制御動作を説明するタイミングチャート
【図４】本発明に係る第２実施形態の照明制御装置の概略構成図
【図５】図４に示した照明制御装置の具体的構成図
【図６】図４に示した照明制御装置のブロック構成図
【図７】図４に示した照明制御装置の制御動作を説明するフローチャート
【図８】図４に示した照明制御装置の第１比較例の概略構成図
【図９】図４に示した照明制御装置の第２比較例の概略構成図
【図１０】図４に示した照明制御装置の第３比較例の概略構成図
【図１１】本発明に係る第３実施形態の照明制御装置の概略構成図
【図１２】本発明に係る第４実施形態の照明制御装置の概略構成図
【符号の説明】
【００６３】
１０、３０、４０、５０  照明制御装置
１１  ランプ
１２  調光安定器（調光点灯手段）
１３  人検知センサ
１５、１５Ａ、１５Ｂ、１５Ｃ、１５Ｄ、１５Ｅ、１５Ｆ、１５Ｇ、１５Ｈ、１５Ｉ、１５Ｊ、１５Ｋ、１５Ｌ、１５Ｍ、１５Ｎ、１５Ｐ、１５Ｑ
１６  制御ブロック（制御手段）
１７  外部調光信号入力部
３１  明るさセンサコントローラ（明るさセンサ）
４１  初期照度補正コントローラ
５１  時刻タイマコントローラ
【図１】
2010097897.tif 000003
【図２】
2010097897.tif 000004
【図３】
2010097897.tif 000005
【図４】
2010097897.tif 000006
【図５】
2010097897.tif 000007
【図６】
2010097897.tif 000008
【図７】
2010097897.tif 000009
【図８】
2010097897.tif 000010
【図９】
2010097897.tif 000011
【図１０】
2010097897.tif 000012
【図１１】
2010097897.tif 000013
【図１２】
2010097897.tif 000014